(57)【要約】【課題】小径のスルーホールに挿入可能で、抜け止め機能が確実で、且つスルーホールへの電気接触のための弾性付勢のための特別の構造を要しないコンタクトを有するスルーホール間結合用のコネクタの実現。【解決手段】コの字状の弾性導体からなるコンタクト８の先端部分を折り返し端部４とし、折り返し部分を係止部５とし、向い合う折り返し端部４，４間の寸法をコの字状屈曲点３，３間の寸法より小さく又は大きくしたコンタクト８の中央部分を保持絶縁物２に保持する。向い合うコンタクト８の折り返し端部４，４をコの字状屈曲点間と同じ間隔のスルーホールへ挿入すると、折り返し端部４には互いに近付こうとするか遠ざかろうとする弾性力が作用し、スルーホールに接触するとともに係止部５が抜け止めとなる。【選択図】図１
2010027438.tif 000002
【特許請求の範囲】
【請求項１】
予め定められた長さの細長弾性導体の両端部から、それぞれ中央部の方へ向って予め定められた寸法の位置で全体がコの字状になるように屈曲し、両先端部はコの字内側への折り返し端部となって抜け止め構造の接触部を形成し、向い合う折り返し端部間の寸法がコの字状屈曲点間の寸法より小さくなるように形成されたコンタクトが、そのコの字状屈曲線を含む面と直交する方向に間隔をあけて複数個整列した状態で屈曲点間の部位を絶縁体ハウジングで保持されたことを特徴とするコネクタ。
【請求項２】
予め定められた長さの細長弾性導体の両端部から、それぞれ中央部の方へ向って予め定められた寸法の位置で全体がコの字状になるように屈曲し、両先端部はコの字外側への折り返し端部となって抜け止め構造の接触部を形成し、向い合う折り返し端部間の寸法がコの字状屈曲点間の寸法より大きくなるように形成されたコンタクトが、そのコの字状屈曲線を含む面と直交する方向に間隔をあけて複数個整列した状態で屈曲点間の部位を絶縁体ハウジングで保持されたことを特徴とするコネクタ。
【請求項３】
予め定められた長さの細長弾性導体２本が、一方端側から所定寸法の部分は中心となる絶縁体の両側に対称に保持されて２極ピンコンタクトを形成し、そこから他方端側は対称中心線から横方向に対称に拡がる方向に伸び、所定寸法の所で再び中心線の方へ近付くように屈曲し、先端は互いに内側への折り返し端部となって抜け止め構造の接触部を形成し、折り返し端部間の寸法が屈曲点間の寸法より小さい対称コンタクトが、その対称面と直交する方向に間隔をあけて複数組整列した状態で絶縁体ハウジングに保持されていることを特徴とするプラグコネクタ。
【請求項４】
予め定められた長さの細長弾性導体２本が、一方端側から所定寸法の部分は中心となる絶縁体の両側に対称に保持されて２極ピンコンタクトを形成し、そこから他方端側は対称中心線から横方向に対称に拡がる方向に伸び、所定寸法の所で再び中心線の方へ近付くように屈曲し、先端は互いに外側への折り返し端部となって抜け止め構造の接触部を形成し、折り返し端部間の寸法が屈曲点間の寸法より大きい対称コンタクトが、その対称面と直交する方向に間隔をあけて複数組整列した状態で絶縁体ハウジングに保持されていることを特徴とするプラグコネクタ。
【請求項５】
予め定められた長さの細長弾性導体２本が、その一方端側からの所定寸法部分は絶縁体ハウジング内で、相互に向い合い対称な形状でプラグコンタクト挿入の間隔をおいて２極のソケットコンタクトを形成し、そこから他方端側は対称中心線から横方向に対称に拡がる方向に伸び、所定寸法の所で再び中心線の方へ近付くように屈曲し、先端は互いに内側への折り返し端部となって抜け止め構造の接触部を形成し、折り返し端部間の寸法が屈曲点間の寸法より小さいことを特徴とするレセプタクルコネクタ。
【請求項６】
予め定められた長さの細長弾性導体２本が、その一方端側からの所定寸法部分は絶縁体ハウジング内で、相互に向い合い対称な形状でプラグコンタクト挿入の間隔をおいて２極のソケットコンタクトを形成し、そこから他方端側は対称中心線から横方向に対称に拡がる方向に伸び、所定寸法の所で再び中心線の方へ近付くように屈曲し、先端は互いに外側への折り返し端部となって抜け止め構造の接触部を形成し、折り返し端部間の寸法が屈曲点間の寸法より大きいことを特徴とするレセプタクルコネクタ。
【請求項７】
予め定められた長さの細長弾性導体の中央から両端側へ所定寸法の所で、該導体とその中央を通る直交中心線を含む面内で、該中心線に対し対称に斜めに屈曲し、両者同じ寸法だけ伸びた所から同じ面内で対称に反転屈曲し、両先端部は向い合う内側への折り返し端部となって抜け止め構造の接触部を形成し、向い合う折り返し端部間の寸法が前記反転屈曲点間の寸法より小さくなるように形成されたコンタクトが、屈曲線を含む面と直交する方向に間隔をあけて複数個整列した状態でコンタクトの中央部位が絶縁体ハウジングで保持されたことを特徴とするコネクタ。
【請求項８】
予め定められた長さの細長弾性導体の中央から両端側へ所定寸法の所で、該導体とその中央を通る直交中心線を含む面内で、該中心線に対し対称に斜めに屈曲し、両者同じ寸法だけ伸びた所から同じ面内で対称に反転屈曲し、両先端部は向い合う外側への折り返し端部となって抜け止め構造の接触部を形成し、向い合う折り返し端部間の寸法が前記反転屈曲点間の寸法より大きくなるように形成されたコンタクトが、屈曲線を含む面と直交する方向に間隔をあけて複数個整列した状態でコンタクトの中央部位が絶縁体ハウジングで保持されたことを特徴とするコネクタ。
【請求項９】
折り返し端部が密着曲げとなっていることを特徴とする請求項１〜８のいずれか１項に記載のコネクタ。
【請求項１０】
折り返し端部の折り返された方の端面の内側辺が、外側辺より折り返し屈曲先端接線に近い傾斜となっていることを特徴とする請求項１〜９のいずれか１項に記載のコネクタ。
【請求項１１】
前記細長弾性導体は断面四角形状を呈し、コンタクトの折り返しの外側になる角部が折り返し端部も含めて面取りされていることを特徴とする請求項１〜１０のいずれか１項に記載のコネクタ。
【請求項１２】
請求項１〜８のいずれか１項の、折り返し端部に代えて、先端を鉤状に打ち抜きプレスで成形した抜け止め構造の接触部としたことを特徴とするコネクタ。
【請求項１３】
請求項１〜８のいずれか１項の、折り返し端部に代えて、前記弾性導体の先端手前の部分に、先端寄りの辺を打ち抜かず両側辺および後辺をプレス打ち抜き切断した部分が、折り返し側に相当する側へ先端寄りの辺から斜めに折り曲げられた部分を抜け止め構造の接触部として形成したことを特徴とするコネクタ。
【発明の詳細な説明】
【技術分野】
【０００１】
本発明は、スルーホール電極が整列しているモジュール基板間の接続、或いは１つのモジュール基板内のスルーホール電極間を接続するコネクタの技術分野に属する。
【背景技術】
【０００２】
従来、スルーホールにピン電極を挿入し、スルーホール内壁の導体とピン電極間の接触導通を得る構造例としては、図９〜図１２に示す構造のものがある。
図９では基板９に設けられたスルーホール２６にピン電極２５を挿入するものである。ピン電極２５は弾性導体であり、Ｕ字曲げ部２９と山形状接触部２８を有しており、Ｕ字部分の幅はスルーホール２６の直径よりも小さいので容易に挿入でき、更に押し進めて山形状接触部２８がスルーホール２６の中に入ると、Ｕ字曲げ部２９の反発弾性によって山形状接触部２８およびピン電極右側の直線部分が内壁導体２７に押し付けられて電気的接触を得るとともに、押し付け摩擦による抜け止め効果も得ているというものである（例えば、特許文献１参照）。
【０００３】
図１０は、ソケット本体３３のピン電極２５を基板９のスルーホール２６に挿入接触させる構造である。（ａ）は挿入前の状態であり、（ｂ）はピン電極２５およびラッチアーム３０の先端がそれぞれ基板９のスルーホール２６およびラッチ孔３２にかかった状態の図である。
スルーホール２６の径はピン電極２５の径より大きく遊びがある。
【０００４】
ここまでは、ソケット本体に対し、左右方向への力は加わらないが、この状態から更に押し込むと、ラッチアーム３０の先端の、爪部３１の傾斜面によって、ソケット本体３３が右の方へ押され、爪部３１の横先端がラッチ孔３２の内壁にかかる状態まで右の方へ動く。従って、ピン電極２５は斜めになった状態でスルーホール２６中へ挿入されて行き、（ｃ）のように爪部３１のかえり部分がラッチ孔３２を出たところで落ち着いた状態となる。
【０００５】
ラッチアーム３０の爪部３１より上の部分の幅が、爪部３１より下の部分幅より大きいので、ソケット本体３３の位置は基板に対して右の方へ寄っている。このためピン電極２５はスルーホール２６の中で斜めになり、スルーホール２６の径が大きいことによる遊びがあっても、スルーホール２６の内壁導体とピン電極２５との電気接触が得られる。
また、ラッチアーム３０の爪部３１のかえり部分が、基板９の下面でスルーホール２６の周囲部分に掛ることによって抜け止め機能を果している（例えば、特許文献２参照）。
【０００６】
図１１は、（ａ）に示すコネクタ３４を基板９に固定する構造図である。
端子３７は、弾性導体でできており、予め、基部３８に対し、変形部３９、折曲部４０が屈曲成形されている。
固定の仕方としては、（ｂ）のように端子３７の折曲部４０を基板９のスルーホール２６へ挿入して、変形部３９を基部に対して直角近くに折り曲げるようにした状態で係止部３６を基板９の係止孔４１へ挿入し、爪部のかえり部分が基板９の下面で、係止孔４１の周囲部分に引っ掛かるようにする。こうすると、スルーホール２６へ挿入した端子３７の折曲部４０も（ｃ）に示すように、スルーホール２６のランド部４２に引っ掛り、電気的接触が得られる端子３７が弾性導体であって、常に（ａ）の状態に戻ろうとする弾性反力が働いているため、（ｃ）の状態が維持される（例えば、特許文献３参照）。
【０００７】
図１２は、基板のスルーホールに対する挿入接続の例ではないが、パネルにあけられた穴に端子を挿入して接続しようという他の例である。
これは、電線４８の先端に取り付けたアース端子４３を車体パネル５０にあけられた被係合穴４９に挿入して、電線４８を車体パネル５０に接地しようとするものである。
アース端子４３は弾性金属板材で形成されており、その基板部４４の左右で下に折れ曲った可撓片４５があり、この可撓片４５の下部が折り返されて係止羽根部４６となっている。
【０００８】
このようなアース端子４３を、両側の係止羽根部４６間の寸法より狭く基板部４４の幅とほぼ同じ幅の被係合穴４９に押し込んで係合するというものであるが、このときは両側の可撓片４５が内側に狭まる方向に撓んで、係止羽根部４６が被係合穴４９をくぐり抜けると可撓片４５の撓みが戻って（ｂ）に示すように、可撓片４５の外面が被係合穴４９の内縁に接するとともに、係止羽根部４６のかえり先端が車体パネル５０の下面に引っ掛かるように接して電気接触を得るとともに、抜け止め機能を果しているというものである（例えば、特許文献４参照）。
【特許文献１】特許第３３３１４１２号公報（段落［００１８］、［００１９］、図１）
【特許文献２】特開２００５−２６２１３号公報（段落［００３８］〜［００５１］、図７〜図９）
【特許文献３】特開２００７−２６５６６３号公報（段落［００３９］〜［００４６］、図１〜図３）
【特許文献４】特開２００４−２０７０７７号公報（段落［００１７］〜［００１９］、図１、図２）
【発明の開示】
【発明が解決しようとする課題】
【０００９】
しかしながら、前記図９〜図１２の各構成にはそれぞれ以下のような問題がある。
図９の構成においては、ピン電極２５のＵ字曲げ部２９の弾力性によって山形状接触部２８および右側面の、内壁導体への電気接触を得ているためＵ字曲げ部２９には必ずＵ字間隔が必要であり、両側を密着してしまうということはできないうえ、確実な電気接触を得るためにはどうしても山形状接触部２８が必要である。
一方、近時においては、高密度、高集積の部品実装が求められており、必然的にスルーホールの径もより小さくすることが求められている。
これに対して、図９の構成では前述のようにピン電極２５を或る程度以下に細くすることが困難であるという問題がある。
【００１０】
図１０の構成では、ピン電極２５は折り返しのない直線状であるため、図９の構成におけるような問題はない。
しかし、スルーホール２６の径はピン電極２５の挿抜のためピン電極の径よりも大きくしてあり若干なりとも遊びがある。従って、挿入しただけでは完全な電気接触が得られないので、ピン電極２５をスルーホール２６の内壁導体に押し付けるように傾ける必要がある。そのために、ソケット本体３３にラッチアーム３０が設けられ、基板側にはスルーホール２６の他にラッチ孔３２を設けなければならず構造が複雑となり、このため製造工程が増加し、製造費が高くなるうえ、ラッチアーム３０やラッチ孔３２のスペースが必要となり高密度化の制約になるという問題がある。
【００１１】
図１１の構成では、端子３７の折曲部４０が変形部３９から鈍角で曲ってその先は平らであるため、外力が加わったときに変形し易く、また、基板９のスルーホール２６のランド部４２に対する係止も先端部分が平面的に接触しているだけで、外部から衝撃が加わったときにロックが外れ易いという問題がある。
更に、変形部３９から折曲部４０へと折れ曲ったものをスルーホールに挿入するため、径の小さいスルーホールの場合には挿入できないという問題がある。
【００１２】
図１２のアース端子４３のような構造では、基板部４４の幅に応じた幅の被係合穴４９が必要となり、円形の細いスルーホールに対する端子としては適さない。
【００１３】
本発明の課題は、上記従来技術における問題点に鑑みて、スルーホールへの挿入時、先端の抜け止め係止が確実なるように折り返しを設けるが、折り返し部に弾性を持たせる必要がなく、また変形の危険の少ない密着曲げも可能な構造とし、且つ、スルーホールとの接触維持のために特別な構造を必要としないコンタクトを有するコネクタを実現することにある。
【課題を解決するための手段】
【００１４】
本発明は上記の課題を解決するために以下の各手段構成を有する。
本発明の第１の構成は、予め定められた長さの細長弾性導体の両端部から、それぞれ中央部の方へ向って予め定められた寸法の位置で全体がコの字状になるように屈曲し、両先端部はコの字内側への折り返し端部となって抜け止め構造の接触部を形成し、向い合う折り返し端部間の寸法がコの字状屈曲点間の寸法より小さくなるように形成されたコンタクトが、そのコの字状屈曲線を含む面と直交する方向に間隔をあけて複数個整列した状態で屈曲点間の部位を絶縁体ハウジングで保持されたことを特徴とするコネクタである。
【００１５】
本発明の第２の構成は、予め定められた長さの細長弾性導体の両端部から、それぞれ中央部の方へ向って予め定められた寸法の位置で全体がコの字状になるように屈曲し、両先端部はコの字外側への折り返し端部となって抜け止め構造の接触部を形成し、向い合う折り返し端部間の寸法がコの字状屈曲点間の寸法より大きくなるように形成されたコンタクトが、そのコの字状屈曲線を含む面と直交する方向に間隔をあけて複数個整列した状態で屈曲点間の部位を絶縁体ハウジングで保持されたことを特徴とするコネクタである。
【００１６】
本発明の第３の構成は、予め定められた長さの細長弾性導体２本が、一方端側から所定寸法の部分は中心となる絶縁体の両側に対称に保持されて２極ピンコンタクトを形成し、そこから他方端側は対称中心線から横方向に対称に拡がる方向に伸び、所定寸法の所で再び中心線の方へ近付くように屈曲し、先端は互いに内側への折り返し端部となって抜け止め構造の接触部を形成し、折り返し端部間の寸法が屈曲点間の寸法より小さい対称コンタクトが、その対称面と直交する方向に間隔をあけて複数組整列した状態で絶縁体ハウジングに保持されていることを特徴とするプラグコネクタである。
【００１７】
本発明の第４の構成は、予め定められた長さの細長弾性導体２本が、一方端側から所定寸法の部分は中心となる絶縁体の両側に対称に保持されて２極ピンコンタクトを形成し、そこから他方端側は対称中心線から横方向に対称に拡がる方向に伸び、所定寸法の所で再び中心線の方へ近付くように屈曲し、先端は互いに外側への折り返し端部となって抜け止め構造の接触部を形成し、折り返し端部間の寸法が屈曲点間の寸法より大きい対称コンタクトが、その対称面と直交する方向に間隔をあけて複数組整列した状態で絶縁体ハウジングに保持されていることを特徴とするプラグコネクタである。
【００１８】
本発明の第５の構成は、予め定められた長さの細長弾性導体２本が、その一方端側からの所定寸法部分は絶縁体ハウジング内で、相互に向い合い対称な形状でプラグコンタクト挿入の間隔をおいて２極のソケットコンタクトを形成し、そこから他方端側は対称中心線から横方向に対称に拡がる方向に伸び、所定寸法の所で再び中心線の方へ近付くように屈曲し、先端は互いに内側への折り返し端部となって抜け止め構造の接触部を形成し、折り返し端部間の寸法が屈曲点間の寸法より小さいことを特徴とするレセプタクルコネクタである。
【００１９】
本発明の第６の構成は、予め定められた長さの細長弾性導体２本が、その一方端側からの所定寸法部分は絶縁体ハウジング内で、相互に向い合い対称な形状でプラグコンタクト挿入の間隔をおいて２極のソケットコンタクトを形成し、そこから他方端側は対称中心線から横方向に対称に拡がる方向に伸び、所定寸法の所で再び中心線の方へ近付くように屈曲し、先端は互いに外側への折り返し端部となって抜け止め構造の接触部を形成し、折り返し端部間の寸法が屈曲点間の寸法より大きいことを特徴とするレセプタクルコネクタである。
【００２０】
本発明の第７の構成は、予め定められた長さの細長弾性導体の中央から両端側へ所定寸法の所で、該導体とその中央を通る直交中心線を含む面内で、該中心線に対し対称に斜めに屈曲し、両者同じ寸法だけ伸びた所から同じ面内で対称に反転屈曲し、両先端部は向い合う内側への折り返し端部となって抜け止め構造の接触部を形成し、向い合う折り返し端部間の寸法が前記反転屈曲点間の寸法より小さくなるように形成されたコンタクトが、屈曲線を含む面と直交する方向に間隔をあけて複数個整列した状態でコンタクトの中央部位が絶縁体ハウジングで保持されたことを特徴とするコネクタである。
【００２１】
本発明の第８の構成は、予め定められた長さの細長弾性導体の中央から両端側へ所定寸法の所で、該導体とその中央を通る直交中心線を含む面内で、該中心線に対し対称に斜めに屈曲し、両者同じ寸法だけ伸びた所から同じ面内で対称に反転屈曲し、両先端部は向い合う外側への折り返し端部となって抜け止め構造の接触部を形成し、向い合う折り返し端部間の寸法が前記反転屈曲点間の寸法より大きくなるように形成されたコンタクトが、屈曲線を含む面と直交する方向に間隔をあけて複数個整列した状態でコンタクトの中央部位が絶縁体ハウジングで保持されたことを特徴とするコネクタである。
【００２２】
本発明の第９の構成は、前記第１〜第８の構成のいずれか１つの構成において、折り返し端部が密着曲げとなっていることを特徴とするコネクタである。
【００２３】
本発明の第１０の構成は、前記第１〜第９の構成のいずれか１つの構成において、折り返し端部の折り返された方の端面の内側辺が、外側辺より折り返し屈曲先端接線に近い傾斜となっていることを特徴とするコネクタである。
【００２４】
本発明の第１１の構成は、前記第１〜第１０の構成のいずれか１つの構成において、前記細長弾性導体は断面四角形状を呈し、コンタクトの折り返しの外側になる角部が折り返し端部も含めて面取りされていることを特徴とするコネクタである。
【００２５】
本発明の第１２の構成は、前記第１〜第８の構成のいずれか１つの構成の折り返し端部に代えて、先端を鉤状に打ち抜きプレスで成形した抜け止め構造の接触部としたことを特徴とするコネクタである。
【００２６】
本発明の第１３の構成は、前記第１〜第８の構成のいずれか１つの構成の折り返し端部に代えて、前記弾性導体の先端手前の部分に、先端寄りの辺を打ち抜かず両側辺および後辺をプレス打ち抜き切断した部分が、折り返し側に相当する側へ先端寄りの辺から斜めに折り曲げられた部分を抜け止め構造の接触部として形成したことを特徴とするコネクタである。
【発明の効果】
【００２７】
上記課題解決手段による本発明の効果は以下の通りである。
第１の構成においては、コの字状をしたコンタクトの両先端部がコの字内側への折り返しとなっていて、スルーホールへ挿入した際の抜け止め構造となっており、向い合う折り返し端部間の寸法が、コの字状屈曲点間の寸法より小さくなるように形成されているので、コの字状屈曲点間の寸法と同間隔で存在する２つのスルーホールへ折り返し端部を挿入した場合、両折り返し端部は互いに近付こうとする弾性力が作用し、スルーホール内壁へ弾性接触するとともに、先端の折り返し部分がスルーホール内壁導体の基板表面に出ている部分に係り抜け止め係止効果を有するとともに、両折り返し端部が互いに近付く方向への弾性力を有しているので、従来技術の図１０のラッチアームやラッチ孔のようなピン電極をスルーホール内壁導体に接触させるため、斜めに付勢するような特別の構造を必要としない効果がある。
【００２８】
また、従来技術の図９のようにＵ字曲げ部のように、スルーホールとの接触のために、折り返し端部の折り返し部分の弾性を利用していないので、折り返しは鋭く折り返すことができ、究極的には密着曲げができるので、この部分を細くでき、スルーホールの径が小さくなっても対応が可能であるという効果がある。
また、このような折り返しは、従来技術の図１１や図１２の場合のような折り返す角度が小さい場合に較べて外力による変形を受けにくいという効果もある。
【００２９】
第２の構成は、第１の構成とは逆に、コンタクトの両先端部がコの字外側への折り返しとなっており、向い合う折り返し端部間の寸法はコの字状屈曲点間の寸法より大きくなっているので、コの字状屈曲点間と同間隔で存在する２つのスルーホールへ折り返し端部を挿入した場合、両折り返し端部は互いに遠ざかろうとする弾性力が作用し、スルーホール内壁へ弾性接触する。
第１の構成とは、折り返しがコの字外側へ折り返しである点と、折り返し端部の弾性力の方向が外向きである点だけ異なるだけで第１の構成と全く同様の効果が得られる。
【００３０】
第３の構成および第４の構成は、基板のスルーホールへ挿入される側の構成は、前記第１の構成と同じであり、異なる点は、２個のスルーホールへ挿入するコンタクト導体は、第１の構成のように１体ではなく、２個の対称な導体からなり、スルーホールへ挿入される側と反対側の方は、２つのコンタクト導体はコンタクト保持絶縁物を挟んで対称に保持され、プラグ状になっている点である。
即ち、２つの折り返し端部を基板のスルーホールへ挿入することによって基板に保持される２極のプラグコネクタということであり、スルーホールへ挿入する側において前記第１の構成と同様の効果があるというものである。
ただ、第４の構成では、２つ折り返し端部をスルーホールへ挿入したときの弾性力の向きが互いに遠ざかる方向となる。
【００３１】
第５の構成および第６の構成は、前記第３の構成と同様に、基板のスルーホールへ挿入される側の構成は、前記第１の構成と同じであり、異なる点は、２個のスルーホールへ挿入するコンタクト導体は、第１の構成のように１体ではなく、２個の対称な導体からなり、スルーホールへ挿入される側と反対側の方は、２つのコンタクト導体は端部が、第３或いは第４の構成のプラグコンタクトが挿入されて接触し合う間隔をあけてコンタクト保持絶縁物に保持されているレセプタクル状になっている点である。
即ち、２つの折り返し端部を基板のスルーホールへ挿入することによって基板に保持される２極のレセプタクルコネクタということであり、スルーホールへ挿入する側において前記第１の構成と同様の効果があるというものである。
ただ、第６の構成では、２つの折り返し端部をスルーホールへ挿入したときの弾性力の向きが互いに遠ざかる方向となる。
【００３２】
第７の構成は第１の構成の変形、第８の構成は第２の構成の変形で、第１の構成のコンタクトがコの字状に形成されているのに対して、Ｍ字状に形成されたものであり、Ｍ字状にすることによって２つの折り返し端部を反転屈曲点間の寸法と同じ間隔寸法の２つのスルーホールへ挿入した際の、２つの折り返し端部が互いに近付こうとする弾性力或いは遠ざかろうとする弾性力を第１の構成のコの字状の場合より大きくできるという効果がある。その他は第１の構成と同様の効果が得られる。
【００３３】
第９の構成では、折り返し端部が密着曲げとなっているので、外力が加わっても変形しにくく安定したロック形状が得られるとともに、端部を単なる折り返しよりも細くでき、径の小さいスルーホールにも対応できるという効果がある。
【００３４】
第１０の構成では、折り返し端部の折り返された方の端面が外側辺から内側辺に向って外側辺部の断面角度が鋭角になるので、スルーホールへ挿入したあとの引っ掛りがよくなり、外れ防止の効果があがる。
【００３５】
第１１の構成では、コンタクトの折り返しの外側になる角部が折り返し端部も含めて面取りされているので、面取りを行わない場合よりも更に径の小さいスルーホールに対応できるという効果がある。
【００３６】
第１２の構成では、抜け止め構造として、折り返し端部に代えて、先端を鉤状にプレス打ち抜きで形成されたもので、折り返し成形よりも製造が容易であるという効果がある。
【００３７】
第１３の構成では、抜け止め構造として、折り返し端部に代えて、コンタクト導体の先端手前の部分で、打ち抜き起しをした部分が抜け止め構造の接触部となっているので、折り返し成形よりも製造が容易であるという効果がある。
【発明を実施するための最良の形態】
【００３８】
コンタクト導体のコの字状成形においては、コの字状屈曲点間の寸法は、挿入する２つのスルーホールの中心間の寸法とし、折り返し端部間の寸法は、スルーホールへ挿入したときに充分な弾性力が得られるよう、第１の構成においては２つのスルーホールの内壁導体間の最短寸法よりも充分短くし、第２の構成においては内壁導体間の最長寸法よりも充分長くするのが最良である。
【００３９】
第１２の構成における鉤状の抜け止め構成では、誘い傾斜と外れ防止テーパーを設けるのが最良である。
第１１の構成における面取りは、スルーホールの円形に沿った角度の面取りとするのが最良である。
【実施例】
【００４０】
以下、本発明コネクタの実施例を図面を参照して説明する。
図１は、本発明第１の構成のコネクタの実施例斜視図である。コの字状のコンタクト１が複数個等間隔で保持絶縁物２に保持されている。
コンタクト１は両側のコの字状屈曲点３で屈曲されてコの字状になっており、その先端部分は折り返されて折り返し端部４を形成している。折り返し端部４の係止部５は、基板のスルーホールへ挿入された際、基板のスルーホール周囲部に引っ掛り抜け止めの機能を果す。
スルーホールとの接触は、接触部７がスルーホールの内壁導体の出口角部と接触し、スルーホール内壁導体に続いてスルーホール周囲にフランジ状に導体が存在する場合は、接触部６がフランジ状部分に接触する。
図１では、コの字状屈曲点３の屈曲角度が直角よりもやや鋭角になっており、左右の折り返し端部４間の寸法は、コの字状屈曲点間の寸法より小さくなっている。
【００４１】
図２は図１のコネクタの３面図であり、（ａ）は上面図、（ｂ）は側面図、（ｃ）は正面図である。
【００４２】
図３は、図１および図２で示されるコネクタ１を基板９のスルーホール１０へ嵌合される工程断面図である。
（ａ）〜（ｃ）は２つの基板のスルーホール間を接続する場合の図で、（ａ）は嵌合前の図、（ｂ）は片側のコンタクト８をスルーホール１０へ挿入し始めた状態の図、（ｃ）は両側のコンタクトがともに、スルーホール１０に完全に挿入された図である。
（ａ）の状態では、コンタクト８のコの字状屈曲点３は両側とも、ほぼスルーホール１０の中心線の上にあり、折り返し端部４の間隔はコの字状屈曲点３間の寸法より小さく、２つのスルーホール１０よりやや内側となっている。
【００４３】
従って、（ｂ）の状態から（ｃ）の状態へ移行するには、折り返し端部４の間隔を押し拡げて挿入することになる。（ｃ）の状態では、折り返し端部４が（ａ）の間隔に戻ろうとする弾性力が働いているので、内側へ折り返されている折り返し端部４の折り返し端面が、スルーホールの周縁導体１２に掛り、電気接触が得られるとともに抜け止め機能を果すことになる。
電気接触については、前記端面だけではなく、コンタクト８の内側面の折り返し端面とほぼ同じ高さの部分がスルーホールの端部に接触することになる。（ｄ）は同一基板内の２つのスルーホール間を接続した場合の図であり、発明としては何らの相違もないものである。
【００４４】
（ｅ）は、本発明第７の構成の実施例であり、コンタクトの形状を略Ｍ字状としたものである。このような形状にすることにより、折り返し端部４が互いに近付こうとする弾性力を大きくすることができる。電気接触や抜け止め機能については、コの字状の場合と同じである。
図３の（ｅ）では、折り返し端部４，４間の間隔がコの字状屈曲点３，３間の寸法よりも小さいが、折り返し端部４，４の間隔を図４のように大きくし、折り返し端部の折り返しを外側へ折り返すことにより、間隔のより広いスルーホールに対応させることができる。これが第８の構成の実施例である。
【００４５】
図７は、図１、図２、図３の保持絶縁物の代わりにＩＣ５５などのチップ部品とした例である。（ａ）は嵌合状態の図、（ｂ）は嵌合前の図である。この場合、左右のコンタクト８は図１〜３のように一体のものではなく、それぞれがＩＣ等の電極に接続されており、ＩＣ等の絶縁体に保持されている。これを図４のように、折り返し端部４，４間の間隔がコの字状屈曲点３，３間の間隔よりも大きい場合を応用して行うこともできる。
【００４６】
図４は、本発明第２の構成の実施例構成図である。（ａ）は嵌合前の状態、（ｂ）は嵌合後の状態を示す図である。
図３と異なる点は、折り返し端部４の折り返しが外側への折り返しとなっており、左右の折り返し端部４，４の間隔もコの字状折曲点３，３の間隔より大きく、且つスルーホール１０外側同士の間隔よりも大きく設定されている。従って、（ｂ）の嵌合状態では、折り返し端部４，４は常に外側へ向けた弾性力を受けている。このため、折り返し端部４，４の折り返し端面がスルーホール１０，１０の周縁導体１２に係り、電気接触するとともに抜け止め機能が得られている。
【００４７】
図５は、コンタクトが８本のコネクタについて、図３の（ｃ）および図４の（ｂ）を上から見た図である。
【００４８】
図６は、本発明第３の構成のプラグコネクタおよび第５の構成のレセプタクルコネクタの実施例である。
（ａ）がプラグコネクタ１５の例であり、（ｂ）がレセプタクルコネクタ１６の例である。これは向い合う基板９、１４のスルーホール間を接続するのに用いられる。
（ｃ）はプラグコネクタ１５とレセプタクルコネクタ１６が嵌合した状態を示す。これにより、（ａ）のコンタクト１７、５１が（ｂ）のコンタクト５２、５３と、それぞれ接続されることになる。
図３の構成と異なる点は、図３では左右のコンタクトが繋がっているのに対し、図６では左右のコンタクトは電気的に独立しており、２極を構成していることである。
しかし、プラグコネクタ１５もレセプタクルコネクタ１６も基板のスルーホールへの嵌合は、図３の場合と同じであり、同じ効果がある。
【００４９】
図６においては折り返し端部４，４間の間隔が屈曲点５４，５４間の寸法より小さいが、折り返し端部４，４の間隔を図４のように大きくし、折り返し端部４の折り返しを外側へ折り返すことにより、間隔のより広いスルーホールに対応させることもできる。
この場合、プラグコネクタ側が第４の構成の実施例であり、レセプタクルコネクタ側が第６の構成の実施例となる。
【００５０】
図８は、スルーホールへ挿入されるコンタクトの各種先端形状を示す図である。
図１、２、３、４、６における折り返し端部４は、折り返しが狭いＶ字状になっており、内側にＶ字空間を有しており、また折り返し端面は折り返し軸線に直角な面を有している。このＶ字空間をなくすように密着させると、その分だけ折り返し端部を細くでき、径のより小さいスルーホールへも挿入することができる。
また、折り返した端面の外側角部が鋭角になるように端面にテーパーを付けると、挿入した後のスルーホール周縁部への引っ掛りがより確実になり、抜け止め機能が向上する。
この密着曲げとテーパー付けは、それぞれ単独に行ってもよく、両方合わせて行ってもよい。この密着曲げは、本発明の第６の構成であり、テーパー付けは第６の構成である。
更に、コンタクトの折り返しの外側になる角部を折り返し部も含めて面取りすることにより、更に小径のスルーホールに対応することができる。これは、本発明第８の構成の実施例である。
【００５１】
図８の（ａ）は、上記の密着曲げ、傾斜付け、面取りの３つを併せ、実施したときのコンタクト挿入部分の側面図であり、（ｂ）は（ａ）のＡ−Ａ断面図である。
（ｃ）は本発明第９の構成の実施例であり、外れ防止テーパー２１と誘い傾斜２２を設けたプレス打ち抜きのコンタクトである。
（ｄ）は、本発明第１０の構成の実施例であり、コンタクト導体２４の先端に近い部分を打ち抜き起しをして、起した部分を係止部２３としたものである。薄板状のコンタクトに適した構造である。
【図面の簡単な説明】
【００５２】
【図１】本発明第１の構成のコネクタの実施例の斜視図である。
【図２】図１のコネクタの３面図である。
【図３】図１および図２で示されるコネクタを基板のスルーホールへ嵌合させる工程断面図である。
【図４】本発明第２の構成の実施例構成図である。
【図５】コンタクトが８本の本発明コネクタについて、図３の（ｃ）および図４の（ｂ）を上から見た図である。
【図６】本発明第３の構成のプラグコネクタおよび第５の構成のレセプタクルコネクタの実施例の構成図である。
【図７】保持絶縁物をＩＣ等のチップ部品とした例を示す図である。
【図８】スルーホールへ挿入される本発明コネクタのコンタクトの先端形状を示す図である。
【図９】従来の、スルーホールへ挿入するピン電極の例を示す図である。
【図１０】従来の、ソケット本体のピン電極を基板のスルーホールへ挿入接触させる構造を示す図である。
【図１１】従来の、コネクタを基板に固定するための構造図である。
【図１２】従来の、車体パネルにあけられた穴に端子を挿入して接続しようとする例を示す図である。
【符号の説明】
【００５３】
１  コネクタ
２  保持絶縁物
３  コの字状屈曲点
４  折り返し端部
５  係止部
６  接触部
７  接触部
８  コンタクト
９  基板
１０  スルーホール
１１  内壁導体
１２  周縁導体
１３  基板
１４  基板
１５  プラグコネクタ
１６  レセプタクルコネクタ
１７  コンタクト
１８  面取り
１９  傾斜
２０  密着部
２１  外れ防止テーパー
２２  誘い傾斜
２３  係止部
２４  コンタクト導体
２５  ピン電極
２６  スルーホール
２７  内壁導体
２８  山形状接触部
２９  Ｕ字曲げ部
３０  ラッチアーム
３１  爪部
３２  ラッチ孔
３３  ソケット本体
３４  コネクタ
３５  ハウジング
３６  係止部
３７  端子
３８  基部
３９  変形部
４０  折曲部
４１  係止孔
４２  ランド部
４３  アース端子
４４  基板部
４５  可撓片
４６  係止羽根部
４７  バレル部
４８  電線
４９  被係合穴
５０  車体パネル
５１  コンタクト
５２  コンタクト
５３  コンタクト
５４  屈曲点
５５  ＩＣ
【図１】
2010027438.tif 000003
【図２】
2010027438.tif 000004
【図３】
2010027438.tif 000005
【図４】
2010027438.tif 000006
【図５】
2010027438.tif 000007
【図６】
2010027438.tif 000008
【図７】
2010027438.tif 000009
【図８】
2010027438.tif 000010
【図９】
2010027438.tif 000011
【図１０】
2010027438.tif 000012
【図１１】
2010027438.tif 000013
【図１２】
2010027438.tif 000014